(57)【要約】  本発明に係る再送制御方法は、送信側装置１０が、物理データチャネルに関連付けられている物理制御チャネルを介して、新規パケットの送信時に更新される新規データ指示子、及び、初送であるか或いは再送であるかについて示す再送シーケンス番号を送信する物理制御チャネル送信工程と、受信側装置１０が、物理制御チャネルを介して受信した新規データ指示子及び再送シーケンス番号に基づいて、物理データチャネルを介して受信したパケットに対する送達確認情報を送信する送達確認情報送信工程とを有する。
2008096878.tif 000002
【特許請求の範囲】
【請求項１】
物理データチャネルによって送信側装置から受信側装置に送信されるパケットについて、該パケットに対する送達確認情報に基づいて再送制御を行う再送制御方法であって、
前記送信側装置が、前記物理データチャネルに関連付けられている物理制御チャネルを介して、新規パケットの送信時に更新される新規データ指示子、及び、初送であるか或いは再送であるかについて示す再送シーケンス番号を送信する物理制御チャネル送信工程と、
前記受信側装置が、前記物理制御チャネルを介して受信した前記新規データ指示子及び前記再送シーケンス番号に基づいて、前記物理データチャネルを介して受信したパケットに対する送達確認情報を送信する送達確認情報送信工程とを有することを特徴とする再送制御方法。
【請求項２】
前記送達確認情報送信工程において、前記受信側装置が、前回の送信機会においてパケットの受信成功を示す送達確認情報を送信しており、今回の送信機会において、前記物理制御チャネルを介して受信した新規データ指示子が、前記次に受信を期待している新規データ指示子と異なり、かつ、前記再送シーケンス番号が、初送であることを示す場合、前記受信側装置は、欠落パケットの再送要求を示す前記送達確認情報を送信することを特徴とする請求項１に記載の再送制御方法。
【請求項３】
前記送達確認情報送信工程において、前記受信側装置が、前回の送信機会においてパケットの受信成功を示す送達確認情報を送信しており、今回の送信機会において、前記物理制御チャネルを介して受信した新規データ指示子が、前記次に受信を期待している新規データ指示子と異なり、かつ、前記再送シーケンス番号が、再送であることを示す場合、前記受信側装置は、前記パケットの受信成功を示す前記送達確認情報を送信することを特徴とする請求項１に記載の再送制御方法。
【請求項４】
前記送達確認情報送信工程において、前記受信側装置が、前回の送信機会においてパケットの受信失敗を示す送達確認情報を送信しており、今回の送信機会において、前記物理制御チャネルを介して受信した新規データ指示子が、前記次に受信を期待している新規データ指示子と等しく、かつ、前記再送シーケンス番号が、初送であることを示す場合、前記受信側装置は、前記パケットの受信結果を示す前記送達確認情報を送信することを特徴とする請求項１に記載の再送制御方法。
【請求項５】
前記送達確認情報送信工程において、前記受信側装置が、前回の送信機会においてパケットの受信失敗を示す送達確認情報を送信しており、今回の送信機会において、前記物理制御チャネルを介して受信した新規データ指示子が、前記次に受信を期待している新規データ指示子と異なる場合、前記受信側装置は、欠落パケットの再送要求を示す前記送達確認情報を送信することを特徴とする請求項１に記載の再送制御方法。
【請求項６】
前記前回の送信機会と前記今回の送信機会とは、同一のＨＡＲＱプロセスに対して割り当てられていることを特徴とする請求項２乃至４のいずれか一項に記載の再送制御方法。
【請求項７】
新規パケットの送信時に更新される新規データ指示子及び初送であるか或いは再送であるかについて示す再送シーケンス番号を含む物理制御チャネルを受信するように構成されている物理制御チャネル受信部と、
前記物理制御チャネルに関連付けられている物理データチャネルを受信するように構成されている物理データチャネル受信部と、
前記物理制御チャネルを介して受信した前記新規データ指示子及び前記再送シーケンス番号に基づいて、前記物理データチャネルを介して受信したパケットに対する送達確認情報を送信するように構成されている送達確認情報送信部とを具備することを特徴とする受信側装置。
【請求項８】
前記受信側装置が、前回の送信機会においてパケットの受信成功を示す送達確認情報を送信しており、今回の送信機会において、前記受信した新規データ指示子が、前記次に受信を期待している新規データ指示子と異なり、かつ、前記再送シーケンス番号が、初送であることを示す場合、前記送達確認情報送信部は、欠落パケットの再送要求を示す前記送達確認情報を送信するように構成されていることを特徴とする請求項７に記載の受信側装置。
【請求項９】
前記受信側装置が、前回の送信機会においてパケットの受信成功を示す送達確認情報を送信しており、今回の送信機会において、前記受信した新規データ指示子が、前記次に受信を期待している新規データ指示子と異なり、かつ、前記再送シーケンス番号が、再送であることを示す場合、前記送達確認情報送信部は、前記パケットの受信成功を示す前記送達確認情報を送信するように構成されていることを特徴とする請求項７に記載の受信側装置。
【請求項１０】
前記受信側装置が、前回の送信機会においてパケットの受信失敗を示す送達確認情報を送信しており、今回の送信機会において、前記受信した新規データ指示子が、前記次に受信を期待している新規データ指示子と等しく、かつ、前記再送シーケンス番号が、初送であることを示す場合、前記送達確認情報送信部は、前記パケットの受信結果を示す前記送達確認情報を送信するように構成されていることを特徴とする請求項７に記載の受信側装置。
【請求項１１】
前記受信側装置が、前回の送信機会においてパケットの受信失敗を示す送達確認情報を送信しており、今回の送信機会において、前記受信した新規データ指示子が、前記次に受信を期待している新規データ指示子と異なる場合、前記送達確認情報送信部は、欠落パケットの再送要求を示す前記送達確認情報を送信するように構成されていることを特徴とする請求項７に記載の受信側装置。
【請求項１２】
前記前回の送信機会と前記今回の送信機会とは、同一のＨＡＲＱプロセスに対して割り当てられていることを特徴とする請求項８乃至１１のいずれか一項に記載の受信側装置。
【発明の詳細な説明】
【技術分野】
【０００１】
本発明は、物理データチャネルを介して送信側装置から受信側装置に送信されるパケットについて、当該パケットに対する送達確認情報に基づいて再送制御を行う再送制御方法及び受信側装置に関する。
【背景技術】
【０００２】
従来、再送制御を行う移動通信システムとして、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）移動通信システムが知られている（例えば、非特許文献１参照）。【０００３】
図１乃至図７を参照して、従来のＨＳＤＰＡ移動通信システムにおける再送制御について説明する。【０００４】
図１に示す構成を具備するＨＳＤＰＡ移動通信システムにおける再送制御は、ＭＡＣ-ｈｓレイヤにおける「ＨＡＲＱ（Ｈｙｂｒｉｄ  Ａｕｔｏｍａｔｉｃ  Ｒｅｐｅａｔ  ｒｅＱｕｅｓｔ）再送制御」及びＲＬＣレイヤにおける「ＡＲＱ再送制御」によって実現されている。【０００５】
かかるＨＳＤＰＡ移動通信システムでは、ＲＬＣレイヤにおけるＡＲＱ再送制御が、ＭＡＣ-ｈｓレイヤにおいて補償し切れなかったパケットの受信失敗又は復号誤りに対して最終的に補償するように構成されている。  また、かかるＨＳＤＰＡ移動通信システムでは、ＲＬＣレイヤにおけるＡＲＱ再送制御が、ＨＡＲＱ再送制御における送達確認情報（ＡＣＫ/ＮＡＣＫ）の誤検出（例えば、移動局において、ＮＡＣＫをＡＣＫと誤検出する場合や、ＤＴＸ状態である場合にＡＣＫを受信したと誤検出する場合）等により生じたパケットの欠落（ロス）に対して最終的に補償するように構成されている。【０００６】
図２Ａ乃至図２Ｆを参照して、かかるＨＳＤＰＡ移動通信システムにおける再送制御について具体的に説明する。以下、ＨＡＲＱプロセスが１つであるものとして説明する。また、各パケットに割り当てられる「ＴＳＮ（送信シーケンス番号：Ｔｒａｎｓｍｉｓｓｉｏｎ  Ｓｅｑｕｅｎｃｅ  Ｎｕｍｂｅｒ）」は、０から１５の間の値を巡回して取るものとする。【０００７】
図２Ａでは、受信側装置（移動局）３０のＭＡＣ-ｈｓレイヤが、「ＴＳＮ＝１５」のパケットの受信及び復号に成功したため、「ＴＳＮ＝１５」のパケットを順序制御バッファ３５に保存すると共に、順序制御バッファ３５から「ＴＳＮ＝１０」のパケットを抽出してＲＬＣレイヤに渡している。そして、受信側装置３０において、次に受信を期待するパケットの「ＴＳＮ」が「０」となる。【０００８】
一方、図２Ｂでは、受信側装置３０のＭＡＣ-ｈｓレイヤにおいて、上述のような原因（受信失敗、復号誤り、誤検出等）によって「ＴＳＮ＝０」のパケットが欠落している。したがって、受信側装置３０において、次に受信を期待するパケットの「ＴＳＮ」が「０」のままであるにも関わらず、送信側装置（基地局）１０が、「ＴＳＮ＝０」のパケットに対するＮＡＣＫを受信していないため、受信側装置３０に対して、「ＴＳＮ＝１」のパケットを送信している。【０００９】
その後、受信側装置３０のＭＡＣ-ｈｓレイヤが、「ＴＳＮ＝１」のパケットの受信及び復号に成功したため、「ＴＳＮ＝１」のパケットを順序制御バッファ３５に保存すると共に、順序制御バッファ３５から「ＴＳＮ＝１２」のパケットを抽出してＲＬＣレイヤに渡している。【００１０】
そして、図２Ｃ乃至図２Ｅにおいて、同様の動作が繰り返される。この間、受信側装置３０において、次に受信を期待するパケットの「ＴＳＮ」は「０」のままである。【００１１】
その後、図２Ｆにおいて、受信側装置３０のＭＡＣ-ｈｓレイヤが、「ＴＳＮ＝５」のパケットの受信及び復号に成功したため、「ＴＳＮ＝５」のパケットを順序制御バッファ３５に保存する。【００１２】
この際、受信側装置３０のＭＡＣ-ｈｓレイヤは、順序制御バッファ３５から「ＴＳＮ＝０」のパケットを抽出してＲＬＣレイヤに渡すことを試みるが、「ＴＳＮ＝０」のパケットが順序制御バッファ３５に保存されていないため、失敗に終わる。【００１３】
その結果、ＲＬＣレイヤのＡＲＱエンティティ３６が、「ＴＳＮ＝０」のパケットの欠落（ロス）を検出し、ＡＲＱ再送制御によって、送信側装置１０に対して「ＴＳＮ＝０」のパケットの再送を要求するように構成されている。【００１４】
また、図１に示すように、かかるＨＳＤＰＡ移動通信システムでは、基地局が、移動局に対して、図３に示すＬ１/Ｌ２制御情報を送信するための共有物理制御チャネルとして「ＨＳ-ＳＣＣＨ（Ｈｉｇｈ  Ｓｐｅｅｄ  Ｓｈａｒｅｄ  Ｃｏｎｔｒｏｌ  Ｃｈａｎｎｅｌ）」を介して、Ｌ１/Ｌ２制御情報を送信し、共有物理データチャネルとして「ＨＳ-ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）」を介してパケットを送信するように構成されている。【００１５】
ここで、図３に示すように、ＨＳ-ＳＣＣＨとＨＳ-ＰＤＳＣＨとは関連付けられている。移動局は、受信したＨＳ-ＳＣＣＨに含まれているＬ１/Ｌ２制御情報に基づいて、当該ＨＳ-ＳＣＣＨに関連付けられているＨＳ-ＰＤＳＣＨに含まれているパケットを受信するように構成されている。【００１６】
また、かかるＨＳＤＰＡ移動通信システムでは、ＨＳ-ＰＤＳＣＨ上に、トランスポートチャネルとして「ＨＳ-ＤＳＣＨ（Ｈｉｇｈ  Ｓｐｅｅｄ  Ｄｏｗｎｌｉｎｋ  Ｓｈａｒｅｄ  Ｃｈａｎｎｅｌ）」が多重されるように構成されている。【００１７】
また、かかるＨＳＤＰＡ移動通信システムでは、ＨＳ-ＤＳＣＨ上の各ＴＴＩ（Ｔｒａｎｓｍｉｓｓｉｏｎ  Ｔｉｍｅ  Ｉｎｔｅｒｖａｌ）において、１つのプロトコルデータユニット（「ＭＡＣ-ｈｓ  ＰＤＵ」）（以下、パケット）が送信されるように構成されている。なお、かかるパケットのヘッダ部分には、当該パケットの「ＴＳＮ」が挿入されている。【００１８】
また、かかるＨＳＤＰＡ移動通信システムでは、移動局が、ＨＳ-ＳＣＣＨを介して受信したＬ１/Ｌ２制御情報（図４参照）内の「ＵＥ  ｉｄｅｎｔｉｙ（１６ビット）」に基づいて、ＨＳ-ＤＳＣＨ上の各ＴＴＩが自局に割り当てられているか否かについて判断する。【００１９】
そして、移動局は、ＨＳ-ＤＳＣＨ上のＴＴＩが自局に割り当てられている場合には、Ｌ１/Ｌ２制御情報（図４参照）内の「ＮＤＩ（新規データ指示子（Ｎｅｗ  Ｄａｔａ  Ｉｎｄｉｃａｔｏｒ（１ビット）））」に基づいて、当該ＴＴＩにおいて送信されるパケットが、新規パケットであるか、又は、再送パケットであるかについて判断する。移動局は、当該判断結果に基づいて、ＭＡＣ-ｈｓレイヤにおけるＨＡＲＱ再送制御を行う。【００２０】
ここで、従来のＨＳＤＰＡ移動通信システムで用いられている「ＮＤＩ」は、１ビットで構成されており、新規パケットの送信時に更新されるように構成されている。具体的には、「ＮＤＩ」は、「０」→「１」というように、２つの値を巡回して取るように構成されている。
【非特許文献１】３ＧＰＰ  ＴＳ２５.３０８
【発明の開示】
【００２１】
図５及び図６を参照して、従来のＨＳＤＰＡ移動通信システムにおいて、ＨＳ-ＳＣＣＨによって通知される「ＮＤＩ＝１」と、受信側装置３０において次に受信を期待している「Ｅｘｐｅｃｔｉｎｇ  ＮＤＩ＝０」との間に不一致が生じるケースについて説明する。
【００２２】
かかる不一致の原因として、以下の３つのケースが想定される。
【００２３】
・  送信側装置１０が、「ＴＳＮ＝Ｎ」のパケットに対するＮＡＣＫをＡＣＫと誤検出したため、受信側装置３０に対して、新規パケット（ＴＳＮ＝Ｎ＋１）を送信するケース（Ａ）。
【００２４】
・  ＤＴＸ状態であるにも関わらず、送信側装置１０が、「ＴＳＮ＝Ｎ」のパケットに対するＡＣＫを受信したと誤検出したため、受信側装置３０に対して、新規パケット（ＴＳＮ＝Ｎ＋１）を送信するケース（Ｂ）。
【００２５】
・  送信側装置１０が、「ＴＳＮ＝Ｎ」のパケットに対するＡＣＫをＮＡＣＫと誤検出したため、受信側装置３０に対して、「ＴＳＮ＝Ｎ」のパケットを再送するケース（Ｃ）。
【００２６】
第１に、図５を参照して、ケース（Ａ）について説明する。
【００２７】
図５に示すように、受信側装置３０は、「ＴＳＮ＝Ｎ」のパケットの受信処理（復号処理）に失敗すると、「ＴＳＮ＝Ｎ」のパケットに対するＮＡＣＫといった送達確認情報（「ＴＳＮ＝Ｎ」のパケットの復号結果）を、個別物理制御チャネル（ＨＳ-ＤＰＣＣＨ：Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）（ＨＡＲＱフィードバック物理チャネル）を介して送信する。
【００２８】
ここで、無線伝搬路の状態が悪く、受信側装置３０が、ＮＡＣＫを送信したにも関わらず、送信側装置１０が、ＨＡＲＱフィードバック物理チャネルを介して、「ＴＳＮ＝Ｎ」のパケットに対するＡＣＫを受信したと誤判定する場合、送信側装置１０は、受信側装置３０に対して、新規パケットとして「ＴＳＮ＝Ｎ＋１」のパケットを送信してしまう。このため、受信側装置３０において「ＴＳＮ＝Ｎ」のパケットが欠落する。
【００２９】
また、受信側装置３０は、送信側装置１０から、ＨＳ-ＳＣＣＨを介して送信された「ＮＤＩ」に基づいて、当該ＨＳ-ＳＣＣＨに関連付けられているＨＳ-ＰＤＳＣＨを介して送信されるパケットが、新規パケットであるか又は再送パケットであるかについて判定している。
【００３０】
しかしながら、上述のような場合、送信側装置１０からＨＳ-ＳＣＣＨを介して通知される「ＮＤＩ＝１」と、受信側装置３０において次に受信を期待している「Ｅｘｐｅｃｔｉｎｇ  ＮＤＩ＝０」との間に不一致が生じてしまう。
【００３１】
第２に、図６を参照して、ケース（Ｂ）について説明する。
【００３２】
図６に示すように、受信側装置３０は、「ＴＳＮ＝Ｎ」のパケットを送信するためのＨＳ-ＰＤＳＣＨに関連付けられている、ＨＳ-ＳＣＣＨを介して送信されるＬ１/Ｌ２制御情報の受信処理（復号処理）に失敗すると、自局宛てに当該パケットが送信されたか否かについて判断できない。
【００３３】
このため、受信側装置３０は、当該ＨＳ−ＳＣＣＨに後続するＨＳ-ＰＤＳＣＨを介して送信される当該「ＴＳＮ＝Ｎ」のパケットを復号することができない。
【００３４】
このため、受信側装置３０は、「ＴＳＮ＝Ｎ」のパケットに対するＡＣＫ/ＮＡＣＫといった送達確認情報（「ＴＳＮ＝Ｎ」のパケットの復号結果）を、ＨＳ-ＤＰＣＣＨ（ＨＡＲＱフィードバック物理チャネル）を介して送信できないため、「ＤＴＸ：Ｄｉｓｃｏｎｔｉｎｕｏｕｓ  Ｔｒａｎｓｍｉｓｓｉｏｎ」と呼ばれる無送信動作となる。
【００３５】
ここで、無線伝搬路の状態が悪く、受信側装置３０が、ＤＴＸ（無送信）状態であるにも関わらず、送信側装置１０が、ＨＡＲＱフィードバック物理チャネルを介して、「ＴＳＮ＝Ｎ」のパケットに対するＡＣＫを受信したと誤判定する場合、送信側装置１０は、受信側装置３０に対して、新規パケットとして「ＴＳＮ＝Ｎ＋１」のパケットを送信してしまう。このため、受信側装置３０において「ＴＳＮ＝Ｎ」のパケットが欠落する。
【００３６】
また、かかる場合、送信側装置１０からＨＳ-ＳＣＣＨを介して通知される「ＮＤＩ＝１」と、受信側装置３０において次に受信を期待している「Ｅｘｐｅｃｔｉｎｇ  ＮＤＩ＝０」との間に不一致が生じてしまう。
【００３７】
第３に、図７を参照して、ケース（Ｃ）について説明する。
【００３８】
図７に示すように、受信側装置３０は、「ＴＳＮ＝Ｎ」のパケットの受信処理（復号処理）に成功すると、「ＴＳＮ＝Ｎ」のパケットに対するＡＣＫといった送達確認情報（「ＴＳＮ＝Ｎ」のパケットの復号結果）を、ＨＳ−ＤＰＣＣＨ（ＨＡＲＱフィードバック物理チャネル）を介して送信する。
【００３９】
ここで、無線伝搬路の状態が悪く、受信側装置３０が、ＡＣＫを送信したにも関わらず、送信側装置１０が、ＨＡＲＱフィードバック物理チャネルを介して、「ＴＳＮ＝Ｎ」のパケットに対するＮＡＣＫを受信したと誤判定する場合、送信側装置１０は、受信側装置３０に対して、再送パケットとして「ＴＳＮ＝Ｎ」のパケットを送信してしまう。このため、受信側装置３０において「ＴＳＮ＝Ｎ」のパケットを重複して受信してしまう。
【００４０】
また、かかる場合、送信側装置１０からＨＳ-ＳＣＣＨを介して通知される「ＮＤＩ＝１」と、受信側装置３０において次に受信を期待している「Ｅｘｐｅｃｔｉｎｇ  ＮＤＩ＝０」との間に不一致が生じてしまう。
【００４１】
さらに、従来のＨＳＤＰＡ移動通信システムにおいて、受信側装置３０は、ＨＡＲＱフィードバック物理チャネルを介して、送達確認信号としてＡＣＫ又はＮＡＣＫのいずれかしか送信できない。
【００４２】
したがって、上述のケース（Ａ）及び（Ｂ）において、受信側装置３０が、ＨＳ-ＰＤＳＣＨを介して送信される「ＴＳＮ＝Ｎ＋１」のパケットを復号し、当該復号結果に基づいて、送信側装置１０に対してＡＣＫ又はＮＡＣＫのいずれかを通知したとしても、ＨＡＲＱ再送制御において、送信側装置１０は、「ＴＳＮ＝Ｎ」のパケットを再送することができない。このため、受信側装置３０において「ＴＳＮ＝Ｎ」のパケットが欠落する。
【００４３】
このようにして受信側装置３０において欠落した「ＴＳＮ＝Ｎ」のパケットは、ＲＬＣレイヤにおけるＡＲＱ再送制御によって補償される。
【００４４】
しかしながら、ＲＬＣレイヤは、上述のように、ＨＡＲＱフィードバック物理チャネルを介して送信される送達確認情報の誤検出によるパケットの欠落を検出し、当該パケットについての再送制御を行う場合、定期的に送信されるＲＬＣレイヤの受信状態報告（ＳＴＡＴＵＳ  ＲＥＰＯＲＴ）や当該パケットに対して設定した送達確認情報を待つタイマの満了をトリガーとしている。
【００４５】
このため、ＲＬＣレイヤが、当該パケットの欠落を検出するには、通常数十ミリ秒単位での時間を要し、伝送遅延が増加するという問題点があった。
【００４６】
そこで、本発明は、上述の課題に鑑みてなされたものであり、送信側装置においてＨＡＲＱフィードバック物理チャネルを介して送信された送達確認情報を誤検出した場合のパケットの欠落を迅速に検出して再送制御を行う再送制御方法及び受信側装置を提供することを目的とする。
【００４７】
本発明の第１の特徴は、物理データチャネルによって送信側装置から受信側装置に送信されるパケットについて、該パケットに対する送達確認情報に基づいて再送制御を行う再送制御方法であって、前記送信側装置が、前記物理データチャネルに関連付けられている物理制御チャネルを介して、新規パケットの送信時に更新される新規データ指示子、及び、初送であるか或いは再送であるかについて示す再送シーケンス番号を送信する物理制御チャネル送信工程と、前記受信側装置が、前記物理制御チャネルを介して受信した前記新規データ指示子及び前記再送シーケンス番号に基づいて、前記物理データチャネルを介して受信したパケットに対する送達確認情報を送信する送達確認情報送信工程とを有することを要旨とする。
【００４８】
本発明の第１の特徴において、前記送達確認情報送信工程において、前記受信側装置が、前回の送信機会においてパケットの受信成功を示す送達確認情報を送信しており、今回の送信機会において、前記物理制御チャネルを介して受信した新規データ指示子が、前記次に受信を期待している新規データ指示子と異なり、かつ、前記再送シーケンス番号が、初送であることを示す場合、前記受信側装置は、欠落パケットの再送要求を示す前記送達確認情報を送信してもよい。
【００４９】
本発明の第１の特徴において、前記送達確認情報送信工程において、前記受信側装置が、前回の送信機会においてパケットの受信成功を示す送達確認情報を送信しており、今回の送信機会において、前記物理制御チャネルを介して受信した新規データ指示子が、前記次に受信を期待している新規データ指示子と異なり、かつ、前記再送シーケンス番号が、再送であることを示す場合、前記受信側装置は、前記パケットの受信成功を示す前記送達確認情報を送信してもよい。
【００５０】
本発明の第１の特徴において、前記送達確認情報送信工程において、前記受信側装置が、前回の送信機会においてパケットの受信失敗を示す送達確認情報を送信しており、今回の送信機会において、前記物理制御チャネルを介して受信した新規データ指示子が、前記次に受信を期待している新規データ指示子と等しく、かつ、前記再送シーケンス番号が、初送であることを示す場合、前記受信側装置は、前記パケットの受信結果を示す前記送達確認情報を送信してもよい。
【００５１】
本発明の第１の特徴において、前記送達確認情報送信工程において、前記受信側装置が、前回の送信機会においてパケットの受信失敗を示す送達確認情報を送信しており、今回の送信機会において、前記物理制御チャネルを介して受信した新規データ指示子が、前記次に受信を期待している新規データ指示子と異なる場合、前記受信側装置は、欠落パケットの再送要求を示す前記送達確認情報を送信してもよい。
【００５２】
本発明の第１の特徴において、前記前回の送信機会と前記今回の送信機会とは、同一のＨＡＲＱプロセスに対して割り当てられていてもよい。
【００５３】
本発明の第２の特徴は、新規パケットの送信時に更新される新規データ指示子及び初送であるか或いは再送であるかについて示す再送シーケンス番号を含む物理制御チャネルを受信するように構成されている物理制御チャネル受信部と、前記物理制御チャネルに関連付けられている物理データチャネルを受信するように構成されている物理データチャネル受信部と、前記物理制御チャネルを介して受信した前記新規データ指示子及び前記再送シーケンス番号に基づいて、前記物理データチャネルを介して受信したパケットに対する送達確認情報を送信するように構成されている送達確認情報送信部とを具備することを要旨とする。
【００５４】
本発明の第２の特徴において、前記受信側装置が、前回の送信機会においてパケットの受信成功を示す送達確認情報を送信しており、今回の送信機会において、前記受信した新規データ指示子が、前記次に受信を期待している新規データ指示子と異なり、かつ、前記再送シーケンス番号が、初送であることを示す場合、前記送達確認情報送信部は、欠落パケットの再送要求を示す前記送達確認情報を送信するように構成されていてもよい。
【００５５】
本発明の第２の特徴において、前記受信側装置が、前回の送信機会においてパケットの受信成功を示す送達確認情報を送信しており、今回の送信機会において、前記受信した新規データ指示子が、前記次に受信を期待している新規データ指示子と異なり、かつ、前記再送シーケンス番号が、再送であることを示す場合、前記送達確認情報送信部は、前記パケットの受信成功を示す前記送達確認情報を送信するように構成されていてもよい。
【００５６】
本発明の第２の特徴において、前記受信側装置が、前回の送信機会においてパケットの受信失敗を示す送達確認情報を送信しており、今回の送信機会において、前記受信した新規データ指示子が、前記次に受信を期待している新規データ指示子と等しく、かつ、前記再送シーケンス番号が、初送であることを示す場合、前記送達確認情報送信部は、前記パケットの受信結果を示す前記送達確認情報を送信するように構成されていてもよい。
【００５７】
本発明の第２の特徴において、前記受信側装置が、前回の送信機会においてパケットの受信失敗を示す送達確認情報を送信しており、今回の送信機会において、前記受信した新規データ指示子が、前記次に受信を期待している新規データ指示子と異なる場合、前記送達確認情報送信部は、欠落パケットの再送要求を示す前記送達確認情報を送信するように構成されていてもよい。
【００５８】
本発明の第２の特徴において、前記前回の送信機会と前記今回の送信機会とは、同一のＨＡＲＱプロセスに対して割り当てられていてもよい。
【００５９】
以上説明したように、本発明によれば、送信側装置においてＨＡＲＱフィードバック物理チャネルを介して送信された送達確認情報を誤検出した場合のパケットの欠落を迅速に検出して再送制御を行う再送制御方法及び受信側装置を提供することができる。
【図面の簡単な説明】
【００６０】
【図１】図１は、従来技術に係る送信側装置及び受信側装置の機能ブロック図である。
【図２】図２は、従来技術に係る移動通信システムにおける再送制御の様子を説明するための図である。
【図３】図３は、従来技術に係る移動通信システムで用いられるチャネル構成を示す図である。
【図４】図４は、従来技術に係る移動通信システムで用いられる共有物理制御チャネルのフォーマットを示す図である。
【図５】図５は、従来技術に係る移動通信システムにおける再送制御の問題点を説明するための図である。
【図６】図６は、従来技術に係る移動通信システムにおける再送制御の問題点を説明するための図である。
【図７】図７は、従来技術に係る移動通信システムにおける再送制御の問題点を説明するための図である。
【図８】図８は、本発明の第１の実施形態に係る送信側装置及び受信側装置の機能ブロック図である。
【図９】図９は、本発明の第１の実施形態に係る移動通信システムで用いられる共有物理制御チャネルのフォーマットを示す図である。
【図１０】図１０は、本発明の第１の実施形態に係る受信側装置の動作を示すフローチャートである。
【図１１】図１１は、本発明の第１の実施形態に係る移動通信システムにおける再送制御の様子を説明するための図である。
【図１２】図１２は、本発明の第１の実施形態に係る移動通信システムにおける再送制御の様子を説明するための図である。
【図１３】図１３は、本発明の第１の実施形態に係る移動通信システムにおける再送制御の様子を説明するための図である。
【図１４】図１４は、本発明の第２の実施形態に係る送信側装置及び受信側装置の機能ブロック図である。
【発明を実施するための最良の形態】
【００６１】
（本発明の第１の実施形態に係る移動通信システム）
図８及び図９を参照して、本発明の第１の実施形態に係る移動通信システムの構成について説明する。【００６２】
本実施形態に係る移動通信システムは、物理データチャネルを介して送信側装置１０から受信側装置３０に送信されるパケットについて、当該パケットに対する送達確認情報（ＡＣＫ/ＮＡＣＫ/ＤＴＸ状態）に基づいて再送制御を行うように構成されている。【００６３】
ここで、物理データチャネル（共有物理データチャネル）の一例として「ＨＳ-ＰＤＳＣＨ」が想定され、物理制御チャネル（共有物理制御チャネル）の一例として「ＨＳ-ＳＣＣＨ」が想定され、ＨＳ-ＰＤＳＣＨ上に多重されるトランスポートチャネルの一例として「ＨＳ-ＤＳＣＨ」が想定され、ＨＳ-ＤＳＣＨ上で送信されるプロトコルデータユニット（パケット）の一例として「ＭＡＣ-ｈｓ  ＰＤＵ」が想定される。しかしながら、本発明は、これらの例に限定されるものではない。【００６４】
また、本発明に係る送信側装置１０及び受信側装置３０は、下り方向の通信（送信側装置１０が基地局であり、受信側装置３０が移動局である場合）にも、上り方向の通信（送信側装置１０が移動局であり、受信側装置３０が基地局である場合）にも、適用可能であるものとする。【００６５】
図８に示すように、送信側装置１０は、レイヤ２の機能として、ＲＬＣエンティティ１１と、送信バッファ１２と、ＴＳＮ付与部１３と、ＨＡＲＱエンティティ１４と、複数のＨＡＲＱプロセス１５と、再送・スケジューラ機能１８とを具備している。また、送信側装置１０は、レイヤ１の機能として、共有物理制御チャネル送信部１６Ａと、共有物理データチャネル送信部１６Ｂと、個別物理制御チャネル受信部１７Ａと、個別物理データチャネル受信部１７Ｂとを具備している。【００６６】
ＲＬＣエンティティ１１は、上述したＡＲＱ再送制御を行うように構成されている。なお、ＲＬＣエンティティ１１は、各パケット単位で、ＡＲＱ再送制御を行うように構成されていてもよいし、複数のパケット単位で、ＡＲＱ再送制御を行うように構成されていてもよい。【００６７】
送信バッファ１２は、ＲＬＣエンティティ１１から送信されたユーザデータを一時的に格納した後、ＴＳＮ付与部１３に送信するように構成されている。【００６８】
ＴＳＮ付与部１３は、送信バッファ１２から送信されたユーザデータに対して、ＴＳＮを含むヘッダ及び誤り訂正符号（ＣＲＣ等）等を付与することによって、共有物理データチャネルに多重されるトランスポートチャネル上で送信されるプロトコルデータユニット（パケット）を生成するように構成されている。【００６９】
ＨＡＲＱエンティティ１４は、再送・スケジューラ機能１８からのＨＡＲＱ再送制御やスケジューリング制御に関する指示に応じて、各パケットを送信するＨＡＲＱプロセスを割り当てるように構成されている。【００７０】
具体的には、ＨＡＲＱエンティティ１４は、再送・スケジューラ機能１８からの指示に応じて、送信バッファ１２に蓄積されているユーザデータを廃棄したり、各送信機会（上述のトランスポートチャネルにおける各ＴＴＩ）においてどのパケット（新規パケット及び再送パケット）を送信するべきかについて決定したりするように構成されている。【００７１】
また、ＨＡＲＱエンティティ１４は、各送信機会において、パケットの送信を行うＨＡＲＱプロセスを特定する「ＨＡＲＱ  ｐｒｏｃｅｓｓ＃」を、共有物理制御チャネル送信部１６Ａに通知するように構成されている。【００７２】
各ＨＡＲＱプロセス１５は、ＨＡＲＱエンティティ１４によってパケット（新規パケット及び再送パケット）の送信を行うように指示された場合、当該パケットを送信するように共有物理データチャネル送信部１６Ｂに対して指示するように構成されている。【００７３】
また、各ＨＡＲＱプロセス１５は、各送信機会において、新規パケットを送信する際に、ＮＤＩ（新規データ指示子）を更新して、共有物理制御チャネル送信部１６Ａに通知するように構成されている。なお、各ＨＡＲＱプロセス１５は、各送信機会において、再送パケットを送信する際に、ＮＤＩを更新しないように構成されている。【００７４】
また、各ＨＡＲＱプロセス１５は、各送信機会において、送信するパケットが「初送」であるか「再送」であるかについて示す「ＲＳＮ（Ｒｅｔｒａｎｓｍｉｓｓｉｏｎ  Ｓｅｑｕｅｎｃｅ  Ｎｕｍｂｅｒ）」を、共有物理制御チャネル送信部１６Ａに通知するように構成されている。【００７５】
各ＨＡＲＱプロセス１５は、ＮＤＩが更新された場合（「初送」の場合）には、ＲＳＮに「０」を設定し、受信したＮＡＣＫに応じて再送する場合には、ＲＳＮを「１」増加させ、ＤＴＸ状態に応じて再送する場合には、ＲＳＮを増加させないように構成されている。【００７６】
なお、各ＨＡＲＱプロセス１５は、ＲＳＮが最大値になった後に（例えば、ＲＳＮが２ビットで構成されている場合にはＲＳＮが「１１」となった後に）、再送を行う場合には、ＲＳＮを増加させないように構成されている。【００７７】
また、各ＨＡＲＱプロセス１５は、個別物理制御チャネル受信部１７Ａによって、個別物理制御チャネルを介して受信された送達確認情報（ＡＣＫ/ＮＡＣＫ）を、再送・スケジューラ機能１８に通知するように構成されている。【００７８】
また、各ＨＡＲＱプロセス１５は、個別物理データチャネル受信部１７Ｂによって、個別物理データチャネルを介して受信された送達確認情報（ＦＡＩ（Ｆａｌｓｅ  ＡＣＫ  Ｉｎｄｉｃａｔｏｒ））を、再送・スケジューラ機能１８に通知するように構成されている。【００７９】
再送・スケジューラ機能１８は、各ＨＡＲＱプロセス１５から通知された送達確認情報（ＡＣＫ/ＮＡＣＫ/ＦＡＩ）に基づいて、各パケットに対するＨＡＲＱ再送制御やスケジューリング制御を行うように構成されている。【００８０】
共有物理制御チャネル送信部１６Ａは、ＨＡＲＱエンティティ１４から通知されたＮＤＩやＨＡＲＱ  ｐｒｏｃｅｓｓ＃を含むＬ１/Ｌ２制御情報を、共有物理制御チャネル（物理制御チャネル）を介して送信するように構成されている。図９に、共有物理制御チャネルを介して送信されるＬ１/Ｌ２制御情報の一例を示す。【００８１】
ここで、ＮＤＩ（新規データ指示子：Ｎｅｗ  Ｄａｔａ  Ｉｎｄｉｃａｔｏｒ）は、１ビットで構成されており、新規パケットの送信時に更新されるように構成されている。例えば、ＮＤＩは、「０」→「１」→「０」というように、２つの値「０」、「１」を巡回して更新されるように構成されている。ＮＤＩの初期値は、「０」であってもよいし、「１」であってもよい。【００８２】
また、ＲＳＮは、図９に示すように、１ビットで構成されていてもよいし、複数ビット（例えば、送信側装置１０における最大再送回数に対応するビット）によって構成されていてもよい。【００８３】
共有物理データチャネル送信部１６Ｂは、共有物理データチャネル（物理データチャネル）における各ＴＴＩにおいて、各ＨＡＲＱプロセスから送信されたパケットを送信するように構成されている。なお、共有物理データチャネルは、共有物理制御チャネルに関連付けられている。【００８４】
個別物理制御チャネル受信部１７Ａは、個別物理制御チャネル（ＨＡＲＱフィードバック物理チャネル）を介して、ＡＣＫ/ＮＡＣＫといった送達確認情報を受信して、該当するＨＡＲＱプロセス１５に通知するように構成されている。【００８５】
なお、個別物理制御チャネル受信部１７Ａは、所定期間内に、各パケットに対する送達確認情報を受信しない場合、ＤＴＸ状態であると判断するように構成されている。【００８６】
個別物理データチャネル受信部１７Ｂは、個別物理データチャネルを介して、ＦＡＩといった送達確認情報を含むＭＡＣ-ＰＤＵを受信して、該当するＨＡＲＱプロセス１５に通知するように構成されている。【００８７】
ここで、ＦＡＩは、欠落したパケットを再送するように要求するものである。したがって、上述の再送・スケジューラ機能１８は、ＦＡＩを受信した場合、所定のパケット（例えば、１回前のＴＴＩにおいて送信したパケット）を再送するように制御する。【００８８】
なお、本実施形態では、ＦＡＩは、個別物理データチャネルを介して送信されるように構成されているが、個別物理制御チャネルや共有物理データチャネルや共有物理制御チャネル等を介して送信されるように構成されていてもよい。【００８９】
また、図８に示すように、受信側装置３０は、共有物理制御チャネル受信部３１Ａと、共有物理データチャネル受信部３１Ｂと、ＨＡＲＱエンティティ３２Ａと、複数のＨＡＲＱプロセス３２Ｂと、個別物理制御チャネル送信部３３Ａと、個別物理データチャネル送信部３３Ｂと、ＴＳＮ抽出部３４と、順序制御バッファ３５と、ＲＬＣエンティティ３６とを具備している。【００９０】
共有物理制御チャネル受信部３１Ａは、送信側装置１０から、共有物理制御チャネル（物理制御チャネル）を介して、Ｌ１/Ｌ２制御情報を受信するように構成されている。【００９１】
共有物理制御チャネル受信部３１Ａは、共有物理制御チャネルを介して送信されたＬ１/Ｌ２制御情報を復号し、復号したＬ１/Ｌ２制御情報を、ＨＡＲＱエンティティ３２Ａに通知するように構成されている。【００９２】
共有物理データチャネル受信部３１Ｂは、共有物理制御チャネルを介して送信されたＬ１/Ｌ２制御情報に基づいて、各ＴＴＩにおいて、共有物理データチャネルを介して送信されるパケットを、ＨＡＲＱエンティティ３２Ａに送信するように構成されている。【００９３】
ＨＡＲＱエンティティ３２Ａは、共有物理制御チャネル受信部３１Ａから受信したＬ１/Ｌ２制御情報、及び、共有物理データチャネル受信部３１Ｂから受信したパケットを、該当のＨＡＲＱプロセス３２Ｂに送信するように構成されている。【００９４】
各ＨＡＲＱプロセス３２Ｂは、ＨＡＲＱエンティティ３２Ａから送信されたＬ１/Ｌ２制御情報に基づいて、ＨＡＲＱエンティティ３２Ａから送信されたパケットを復号し、復号したパケットをＴＳＮ抽出部３４に送信するように構成されている。【００９５】
また、各ＨＡＲＱプロセス３２Ｂは、送達確認情報（ＡＣＫ/ＮＡＣＫ）を生成して個別物理制御チャネル送信部３３Ａに通知し、送達確認情報（ＦＡＩ）を生成して個別物理データチャネル送信部３３Ｂに通知するように構成されている。【００９６】
具体的には、各ＨＡＲＱプロセス３２Ｂは、ＨＡＲＱエンティティ３２Ａから送信されたＬ１/Ｌ２制御情報に含まれるＮＤＩ（受信したＮＤＩ）及びＲＳＮに基づいて、送達確認情報（ＡＣＫ/ＮＡＣＫ/ＦＡＩ）を生成するように構成されている。【００９７】
例えば、各ＨＡＲＱプロセス３２Ｂは、当該ＨＡＲＱプロセス３２Ｂに割り当てられていた前回のＴＴＩ（送信機会）においてパケットの受信成功を示す送達確認情報（ＡＣＫ）を送信している。ここで、通知された「ＮＤＩ」が「次に受信を期待しているＮＤＩ（Ｅｘｐｅｃｔｅｄ  ＮＤＩ）」と異なり、かつ、通知された「ＲＳＮ」が「初送」を示す場合、各ＨＡＲＱプロセス３２Ｂは、当該パケットに対する送達確認情報（ＦＡＩ）を生成するように構成されている。【００９８】
また、各ＨＡＲＱプロセス３２Ｂは、当該ＨＡＲＱプロセス３２Ｂに割り当てられていた前回のＴＴＩ（送信機会）においてパケットの受信成功を示す送達確認情報（ＡＣＫ）を送信している。ここで、通知された「ＮＤＩ」が「次に受信を期待しているＮＤＩ（Ｅｘｐｅｃｔｅｄ  ＮＤＩ）」と異なり、かつ、通知された「ＲＳＮ」が「再送」を示す場合、各ＨＡＲＱプロセス３２Ｂは、当該パケットに対する送達確認情報（ＡＣＫ）を生成するように構成されている。【００９９】
また、各ＨＡＲＱプロセス３２Ｂは、当該ＨＡＲＱプロセス３２Ｂに割り当てられていた前回のＴＴＩ（送信機会）においてパケットの受信失敗を示す送達確認情報（ＮＡＣＫ）を送信している、ここで、通知された「ＮＤＩ」が、「次に受信を期待しているＮＤＩ（Ｅｘｐｅｃｔｅｄ  ＮＤＩ）」と等しく、かつ、通知された「ＲＳＮ」が「初送」を示す場合、各ＨＡＲＱプロセス３２Ｂは、当該パケットに対する受信結果を示す送達確認情報（ＡＣＫ/ＮＡＣＫ）を送信するように構成されている。【０１００】
また、各ＨＡＲＱプロセス３２Ｂは、当該ＨＡＲＱプロセス３２Ｂに割り当てられていた前回のＴＴＩ（送信機会）においてパケットの受信失敗を示す送達確認情報（ＮＡＣＫ）を送信している。ここで、通知された「ＮＤＩ」が、「次に受信を期待しているＮＤＩ（Ｅｘｐｅｃｔｅｄ  ＮＤＩ）」と異なる場合、各ＨＡＲＱプロセス３２Ｂは、欠落パケットの再送要求を示す送達確認情報（ＦＡＩ）を送信するように構成されている。【０１０１】
ここで、上述の前回のＴＴＩ（送信機会）と今回のＴＴＩ（送信機会）とは、同一のＨＡＲＱプロセス３２Ｂに対して割り当てられているものとする。【０１０２】
なお、本実施形態において、上述の前回のＴＴＩ（送信機会）及び今回のＴＴＩ（送信機会）は、各ＨＡＲＱプロセス３２Ｂから見たものである。図１２に示すケース（Ｂ）では、パケット「ＴＳＮ＝Ｎ＋１」が送信される送信機会が、今回のＴＴＩであるとすると、パケット「ＴＳＮ＝Ｎ−１」が送信される送信機会が、前回のＴＴＩとなる。これは、ＨＡＲＱプロセス＃ｎは、パケット「ＴＳＮ＝Ｎ」が送信される送信機会では、共有物理制御チャネルを介して送信されるＬ１/Ｌ２制御情報の受信に失敗しているため、かかる送信機会が当該ＨＡＲＱプロセス＃ｎに割り当てられていることを認識できないことをその理由とする。【０１０３】
ここで、各ＨＡＲＱプロセス３２Ｂは、当該パケットに対する送達確認情報（ＡＣＫ）を生成するごとに、Ｅｘｐｅｃｔｅｄ  ＮＤＩを更新するように構成されている。【０１０４】
なお、各ＨＡＲＱプロセス３２Ｂは、ＨＡＲＱ  ＲＴＴ（Ｒｏｕｎｄ  Ｔｒｉｐ  Ｔｉｍｅ）が経過するよりも早く、当該ＨＡＲＱプロセス３２Ｂ宛てのパケットを受信した場合、当該パケットを廃棄するように構成されていてもよい。【０１０５】
また、各ＨＡＲＱプロセス３２Ｂは、今回のＴＴＩにおいてＮＤＩが更新されていない場合で、かつ、今回のＴＴＩにおいて受信したパケットのサイズ（ＴＢＳ：Ｔｒａｎｓｐｏｒｔ  Ｂｌｏｃｋ  Ｓｉｚｅ）が前回のＴＴＩにおいて受信したパケットのサイズと異なる場合、当該パケットを廃棄するように構成されていてもよい。【０１０６】
個別物理制御チャネル送信部３３Ａは、各ＨＡＲＱプロセス３２Ｂから通知された送達確認情報（ＡＣＫ/ＮＡＣＫ）を、個別物理制御チャネル（ＨＡＲＱフィードバック物理チャネル）を介して送信するように構成されている。【０１０７】
なお、ＨＡＲＱフィードバック物理チャネルは、少なくとも２種類の送達確認情報を通知する必要があるため、ＨＡＲＱフィードバック物理チャネルにおいて、送達確認情報を通知するためのビットを少なくとも１ビット準備する必要がある。【０１０８】
また、個別物理データチャネル送信部３３Ｂは、各ＨＡＲＱプロセス３２Ｂから通知された送達確認情報（ＦＡＩ）を、ＭＡＣ-ＰＤＵとして個別物理データチャネルを介して送信するように構成されている。【０１０９】
ＴＳＮ抽出部３４は、各ＨＡＲＱプロセス３２Ｂから送信されたパケットのＴＳＮを抽出するように構成されている。また、ＴＳＮ抽出部３４は、ＲＬＣエンティティ３６に対して各パケットをＴＳＮの順に送信するために、抽出したＴＳＮに基づいて各パケットを順序制御バッファ３５に格納するように構成されている。【０１１０】
ＲＬＣエンティティ３６は、順序制御バッファ３５から送信されたパケットのＴＳＮを参照して、当該パケットについてのＡＲＱ再送制御を行うように構成されている。なお、ＲＬＣエンティティ３６は、各パケット単位で、ＡＲＱ再送制御を行うように構成されていてもよいし、複数のパケット単位で、ＡＲＱ再送制御を行うように構成されていてもよい。【０１１１】
（本発明の第１の実施形態に係る移動通信システムの動作）
以下、図１０乃至図１３を参照して、本実施形態に係る移動通信システムの動作について説明する。具体的には、本実施形態に係る移動通信システムにおいて、基地局（送信側装置１０のプロセス＃ｎ）から移動局（受信側装置３０のプロセス＃ｎ）に対して送信されるパケットについての再送制御について説明する。【０１１２】
図１０に示すように、ステップＳ１００１において、移動局は、プロセス＃ｎに割り当てられた今回のＴＴＩにおいて、基地局から共有物理制御チャネル（例えば、ＨＳ-ＳＣＣＨ）を介して送信されたＬ１／Ｌ２制御情報を受信する。【０１１３】
ステップＳ１００２において、共有物理制御チャネルを介して送信されたＬ１／Ｌ２制御情報の受信及び復号に成功したか否かについて判定される。【０１１４】
共有物理制御チャネルを介して送信されたＬ１／Ｌ２制御情報の受信又は復号に失敗した場合、ステップＳ１００３において、移動局は、ＨＡＲＱフィードバック物理チャネル（例えば、ＤＰＣＣＨ）を介して送達確認情報を送信しないＤＴＸ状態となる。【０１１５】
一方、共有物理制御チャネルを介して送信されたＬ１／Ｌ２制御情報の受信及び復号に成功した場合、ステップＳ１００４Ａにおいて、移動局は、ＨＡＲＱプロセス＃ｎに割り当てられていた前回のＴＴＩにおいて、ＡＣＫを送信していたか否かについて判定する。ＡＣＫを送信していたと判定された場合、本動作は、ステップＳ１００４Ｂに進み、ＮＡＣＫを送信していたと判定された場合、本動作は、ステップＳ１０１３に進む。【０１１６】
ステップＳ１００４Ｂにおいて、移動局は、共有物理制御チャネルを介して受信したＮＤＩ（受信したＮＤＩ）が、次に受信を期待しているＮＤＩ（Ｅｘｐｅｃｔｅｄ  ＮＤＩ）と一致するか否かについて判定する。すなわち、移動局は、「受信したＮＤＩ」が増加している（更新されている）か否かについて判定する。【０１１７】
「受信したＮＤＩ」が「Ｅｘｐｅｃｔｅｄ  ＮＤＩ」と等しいと判定された場合、すなわち、「受信したＮＤＩ」が増加している（更新されている）と判定された場合、ステップＳ１００５において、移動局は、共有物理制御チャネルを介して受信したＬ１/Ｌ２制御情報に基づいて、共有物理データチャネルを介して受信したパケットを復号する。【０１１８】
ステップＳ１００６において、移動局は、当該パケットの復号結果（受信結果）に基づいて、送達確認情報（ＡＣＫ/ＮＡＣＫ）を、ＨＡＲＱフィードバック物理チャネルを介して送信する。【０１１９】
一方、「受信したＮＤＩ」が「Ｅｘｐｅｃｔｅｄ  ＮＤＩ」と異なると判定された場合、すなわち、「受信したＮＤＩ」が増加していない（更新されていない）と判定された場合、ステップＳ１００７において、共有物理制御チャネルを介して受信した「ＲＳＮ」が「初送」を示すか否かについて、すなわち、「ＲＳＮ」が「０」であるか否かについて判定される。【０１２０】
「ＲＳＮ」が「初送」を示すと判定された場合（すなわち、「ＲＳＮ」が「０」である場合）、移動局は、ステップＳ１００８において、ＤＴＸ状態であるにもかかわらずＡＣＫを受信したと誤検出したことによって、パケットの欠落が発生したと判断する（図１２におけるケース（Ｂ））。そして、移動局は、共有物理制御チャネルを介して受信したＬ１/Ｌ２制御情報に基づいて、共有物理データチャネルを介して受信したパケットを復号する。【０１２１】
移動局は、ステップＳ１００９において、個別物理制御チャネルを介して、当該パケットの復号結果を送信する。また、移動局は、ステップＳ１０１０において、個別物理データチャネルを介して、欠落パケット（図１２の例では「ＴＳＮ＝Ｎ」のパケット）を再送するように要求するための送達確認情報（ＦＡＩ）を送信する。【０１２２】
一方、「ＲＳＮ」が「再送」を示すと判定された場合（すなわち、「ＲＳＮ」が「０」以外である場合）、移動局は、ステップＳ１０１１において、ＡＣＫをＮＡＣＫと誤検出したことによる冗長な再送であると判断（図１３におけるケース（Ｃ））する。そして、移動局は、ステップＳ１０１２において、ＨＡＲＱプロセス＃ｎにおけるパケットの復号結果によらず、送達確認情報（ＡＣＫ）を、個別物理制御チャネル（ＨＡＲＱフィードバック物理チャネル）を介して送信する。【０１２３】
ステップＳ１０１３において、移動局は、共有物理制御チャネルを介して受信したＮＤＩ（受信したＮＤＩ）が、次に受信を期待しているＮＤＩ（Ｅｘｐｅｃｔｅｄ  ＮＤＩ）と一致するか否かについて判定する。すなわち、移動局は、「受信したＮＤＩ」が増加していない（更新されていない）か否かについて判定する。【０１２４】
「受信したＮＤＩ」が「Ｅｘｐｅｃｔｅｄ  ＮＤＩ」と等しいと判定された場合、すなわち、「受信したＮＤＩ」が増加していない（更新されていない）と判定された場合、本動作は、ステップＳ１００４に進み、「受信したＮＤＩ」が「Ｅｘｐｅｃｔｅｄ  ＮＤＩ」と異なると判定された場合、すなわち、「受信したＮＤＩ」が増加している（更新されている）と判定された場合、本動作は、ステップＳ１０１９に進む。【０１２５】
ステップＳ１０１４において、共有物理制御チャネルを介して受信した「ＲＳＮ」が「初送」を示すか否かについて、すなわち、「ＲＳＮ」が「０」であるか否かについて判定される。【０１２６】
「ＲＳＮ」が「初送」を示すと判定された場合（すなわち、「ＲＳＮ」が「０」である場合）、ステップＳ１０１５において、移動局は、共有物理制御チャネルを介して受信したＬ１/Ｌ２制御情報に基づいて、共有物理データチャネルに含まれるパケットを復号する。【０１２７】
ステップＳ１０１６において、移動局は、当該パケットの復号結果（受信結果）に基づいて、送達確認情報（ＡＣＫ/ＮＡＣＫ）を、ＨＡＲＱフィードバック物理チャネルを介して送信する。【０１２８】
一方、「ＲＳＮ」が「再送」を示すと判定された場合（すなわち、「ＲＳＮ」が「０」以外である場合）、移動局は、ステップＳ１０１７において、移動局は、共有物理制御チャネルを介して受信したＬ１/Ｌ２制御情報に基づいて、共有物理データチャネルに含まれるパケットを復号する。【０１２９】
ステップＳ１０１８において、移動局は、上述のパケットの復号結果（受信結果）に基づいて、送達確認情報（ＡＣＫ/ＮＡＣＫ）を、ＨＡＲＱフィードバック物理チャネルを介して送信する。【０１３０】
ステップＳ１０１９において、移動局は、ＮＡＣＫをＡＣＫと誤検出したことによって、パケットの欠落が発生したと判断し（図１１におけるケース（Ａ））、共有物理制御チャネルを介して受信したＬ１/Ｌ２制御情報に基づいて、共有物理データチャネルを介して受信したパケットを復号する。【０１３１】
移動局は、ステップＳ１０２０において、個別物理制御チャネルを介して、当該パケットの復号結果を送信し、ステップＳ１０２１において、個別物理制御チャネルを介して、欠落パケット（図１２の例では「ＴＳＮ＝Ｎ」のパケット）を再送するように要求するための送達確認情報（ＦＡＩ）を送信する。【０１３２】
（本発明の第１の実施形態に係る移動通信システムの作用・効果）
本実施形態に係る移動通信システムによれば、ＲＬＣレイヤによる再送制御を待つことなく、ＮＤＩ及びＲＳＮに基づいてパケットの欠落を検出することができ、各ＨＡＲＱプロセスにおけるパケットの復号結果によらず、送達確認情報（ＦＡＩ）を送信するように構成されているため、伝送遅延を抑制することができる。【０１３３】
（本発明の第２の実施形態に係る移動通信システム）
図１４を参照して、本発明の第２の実施形態に係る移動通信システムについて説明する。以下、本実施形態に係る移動通信システムについて、上述の第１の実施形態に係る移動通信システムとの相違点について主として説明する。【０１３４】
本実施形態に係る移動通信システムの構成は、ＬＴＥ（Ｌｏｎｇ  Ｔｅｒｍ  Ｅｖｏｌｕｔｉｏｎ）によって規格されている構成に準拠するものとする。【０１３５】
ここで、下り方向の共有物理データチャネルとして「ＰＤＳＣＨ：Ｐｈｙｓｉｃａｌ  Ｄｏｗｎｌｉｎｋ  Ｓｈａｒｅｄ  Ｃｈａｎｎｅｌ」が用いられ、下り方向の共有物理制御チャネルとして「ＰＤＣＣＨ：Ｐｈｙｓｉｃａｌ  Ｄｏｗｎｌｉｎｋ  Ｃｏｎｔｒｏｌ  Ｃｈａｎｎｅｌ」が用いられる。【０１３６】
また、上り方向の共有物理制御チャネルとして「ＰＵＣＣＨ：Ｐｈｙｓｉｃａｌ  Ｕｐｌｉｎｋ  Ｃｏｎｔｒｏｌ  Ｃｈａｎｎｅｌ」が用いられ、上り方向の共有物理データチャネルとして「ＰＵＳＣＨ：Ｐｈｙｓｉｃａｌ  Ｕｐｌｉｎｋ  Ｓｈａｒｅｄ  Ｃｈａｎｎｅｌ」が用いられる。【０１３７】
ＰＤＳＣＨ上に多重されるトランスポートチャネルとして「ＤＬ-ＳＣＨ：Ｄｏｗｎｌｉｎｋ  Ｓｈａｒｅｄ  Ｃｈａｎｎｅｌ」が用いられ、ＰＵＳＣＨ上に多重されるトランスポートチャネルとして「ＵＬ-ＳＣＨ：Ｕｐｌｉｎｋ  Ｓｈａｒｅｄ  Ｃｈａｎｎｅｌ」が用いられている。【０１３８】
図１４に示すように、送信側装置１０は、論理チャネルに１対１に対応する複数のＲＬＣエンティティ１１を具備しており、受信側装置３０も、同様に、論理チャネルに１対１に対応する複数のＲＬＣエンティティ３６を具備している。各ＲＬＣエンティティ１１、３６の機能は、上述の第１の実施形態におけるＲＬＣエンティティ１１、３６の機能と同様である。【０１３９】
また、送信側装置１０は、送信バッファ１２の代わりに、ＭＡＣ多重部１２Ａを具備し、ＴＳＮ付与部１３の代わりに、ＭＡＣヘッダ付与部１３Ａを具備し、個別物理制御チャネル受信部１７Ａの代わりに、共有物理制御チャネル受信部１７Ａ１を具備し、個別物理データチャネル受信部１７Ｂの代わりに、共有物理データチャネル受信部１７Ｂ１を具備している。【０１４０】
一方、受信側装置３０は、ＴＳＮ抽出部３４の代わりに、ヘッダ解析部３４Ａを具備し、順序制御バッファ３５の代わりに、多重分離部３５Ａを具備し、個別物理制御チャネル送信部３３Ａの代わりに、共有物理制御チャネル送信部３３Ａ１を具備し、個別物理データチャネル送信部３３Ｂの代わりに、共有物理データチャネル送信部３３Ｂ１を具備している。【０１４１】
ＭＡＣ多重部１２Ａは、複数のＲＬＣエンティティ１１から送信されたユーザデータを多重して一時的に格納した後、ＭＡＣヘッダ付与部１３Ａに送信するように構成されている。【０１４２】
ＭＡＣヘッダ付与部１３Ａは、ＭＡＣ多重部１２Ａから送信されたユーザデータに対して、ＭＡＣヘッダ及び誤り訂正符号（ＣＲＣ等）等を付与することによって、共有物理データチャネルに多重されるトランスポートチャネル上で送信されるプロトコルデータユニット（パケット）を生成するように構成されている。【０１４３】
共有物理制御チャネル受信部１７Ａ１は、ＡＣＫ/ＮＡＣＫといった送達確認情報を共有物理制御チャネル（ＨＡＲＱフィードバック物理チャネル）を介して受信して、該当するＨＡＲＱプロセス１５に通知するように構成されている。【０１４４】
なお、共有物理制御チャネル受信部１７Ａ１は、所定期間内に、各パケットに対する送達確認情報を受信しない場合、ＤＴＸ状態であると判断するように構成されている。【０１４５】
共有物理制御チャネル送信部３３Ａ１は、各ＨＡＲＱプロセス３２Ｂから通知された送達確認情報（ＡＣＫ/ＮＡＣＫ）を、共有物理制御チャネル（ＨＡＲＱフィードバック物理チャネル）を介して送信するように構成されている。【０１４６】
ヘッダ解析部３４Ａは、各ＨＡＲＱプロセス３２Ｂから送信されたパケットのヘッダを解析し、複数のＲＬＣエンティティ３６のそれぞれに対して各パケットを送信するために、各パケットを多重分離部３５Ａに格納するように構成されている。【０１４７】
多重分離部３５Ａは、複数のＲＬＣエンティティ宛てのパケットを分離して、該当するＲＬＣエンティティ３６に対して送信するように構成されている。【０１４８】
なお、本実施形態では、ＦＡＩは、共有物理データチャネルを介して送信されるように構成されているが、個別物理制御チャネルや個別物理データチャネルや共有物理制御チャネル等を介して送信されるように構成されていてもよい。【０１４９】
また、本実施形態では、ＡＣＫ/ＮＡＣＫは、下り方向の共有物理制御チャネルに関連付けられている上り方向の共有物理制御チャネルを介して送信されるように構成されているが、個別物理制御チャネルを介して送信されるように構成されていてもよい。【０１５０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。【０１５１】
なお、日本国特許出願第２００７−０３１３８４号（２００７年２月９日出願）の全内容が、参照により、本願明細書に組み込まれている。
【産業上の利用可能性】
【０１５２】
以上のように、本発明に係る再送制御方法及び受信側装置は、送信側装置においてＨＡＲＱフィードバック物理チャネルを介して送信された送達確認情報を誤検出した場合のパケットの欠落を迅速に検出して再送制御を行うため、伝送遅延を抑制することができる。
【図１】
2008096878.tif 000003
【図２】
2008096878.tif 000004
【図３】
2008096878.tif 000005
【図４】
2008096878.tif 000006
【図５】
2008096878.tif 000007
【図６】
2008096878.tif 000008
【図７】
2008096878.tif 000009
【図８】
2008096878.tif 000010
【図９】
2008096878.tif 000011
【図１０】
2008096878.tif 000012
【図１１】
2008096878.tif 000013
【図１２】
2008096878.tif 000014
【図１３】
2008096878.tif 000015
【図１４】
2008096878.tif 000016
【手続補正書】
【提出日】平成22年2月22日(2010.2.22)
【手続補正１】
【補正対象書類名】明細書
【補正対象項目名】００１８
【補正方法】変更
【補正の内容】
【００１８】
また、かかるＨＳＤＰＡ移動通信システムでは、移動局が、ＨＳ-ＳＣＣＨを介して受信したＬ１/Ｌ２制御情報（図４参照）内の「ＵＥ  ｉｄｅｎｔｉｔｙ（１６ビット）」に基づいて、ＨＳ-ＤＳＣＨ上の各ＴＴＩが自局に割り当てられているか否かについて判断する。
【手続補正２】
【補正対象書類名】明細書
【補正対象項目名】００４０
【補正方法】変更
【補正の内容】
【００４０】
また、かかる場合、送信側装置１０からＨＳ-ＳＣＣＨを介して通知される「ＮＤＩ＝０」と、受信側装置３０において次に受信を期待している「Ｅｘｐｅｃｔｉｎｇ  ＮＤＩ＝１」との間に不一致が生じてしまう。
【手続補正３】
【補正対象書類名】明細書
【補正対象項目名】００９７
【補正方法】変更
【補正の内容】
【００９７】
例えば、各ＨＡＲＱプロセス３２Ｂは、当該ＨＡＲＱプロセス３２Ｂに割り当てられていた前回のＴＴＩ（送信機会）においてパケットの受信成功を示す送達確認情報（ＡＣＫ）を送信している。ここで、通知された「ＮＤＩ」が「次に受信を期待しているＮＤＩ（Ｅｘｐｅｃｔｉｎｇ  ＮＤＩ）」と異なり、かつ、通知された「ＲＳＮ」が「初送」を示す場合、各ＨＡＲＱプロセス３２Ｂは、当該パケットに対する送達確認情報（ＦＡＩ）を生成するように構成されている。
【手続補正４】
【補正対象書類名】明細書
【補正対象項目名】００９８
【補正方法】変更
【補正の内容】
【００９８】
また、各ＨＡＲＱプロセス３２Ｂは、当該ＨＡＲＱプロセス３２Ｂに割り当てられていた前回のＴＴＩ（送信機会）においてパケットの受信成功を示す送達確認情報（ＡＣＫ）を送信している。ここで、通知された「ＮＤＩ」が「次に受信を期待しているＮＤＩ（Ｅｘｐｅｃｔｉｎｇ  ＮＤＩ）」と異なり、かつ、通知された「ＲＳＮ」が「再送」を示す場合、各ＨＡＲＱプロセス３２Ｂは、当該パケットに対する送達確認情報（ＡＣＫ）を生成するように構成されている。
【手続補正５】
【補正対象書類名】明細書
【補正対象項目名】００９９
【補正方法】変更
【補正の内容】
【００９９】
また、各ＨＡＲＱプロセス３２Ｂは、当該ＨＡＲＱプロセス３２Ｂに割り当てられていた前回のＴＴＩ（送信機会）においてパケットの受信失敗を示す送達確認情報（ＮＡＣＫ）を送信している、ここで、通知された「ＮＤＩ」が、「次に受信を期待しているＮＤＩ（Ｅｘｐｅｃｔｉｎｇ  ＮＤＩ）」と等しく、かつ、通知された「ＲＳＮ」が「初送」を示す場合、各ＨＡＲＱプロセス３２Ｂは、当該パケットに対する受信結果を示す送達確認情報（ＡＣＫ/ＮＡＣＫ）を送信するように構成されている。
【手続補正６】
【補正対象書類名】明細書
【補正対象項目名】０１００
【補正方法】変更
【補正の内容】
【０１００】
また、各ＨＡＲＱプロセス３２Ｂは、当該ＨＡＲＱプロセス３２Ｂに割り当てられていた前回のＴＴＩ（送信機会）においてパケットの受信失敗を示す送達確認情報（ＮＡＣＫ）を送信している。ここで、通知された「ＮＤＩ」が、「次に受信を期待しているＮＤＩ（Ｅｘｐｅｃｔｉｎｇ  ＮＤＩ）」と異なる場合、各ＨＡＲＱプロセス３２Ｂは、欠落パケットの再送要求を示す送達確認情報（ＦＡＩ）を送信するように構成されている。
【手続補正７】
【補正対象書類名】明細書
【補正対象項目名】０１０３
【補正方法】変更
【補正の内容】
【０１０３】
ここで、各ＨＡＲＱプロセス３２Ｂは、当該パケットに対する送達確認情報（ＡＣＫ）を生成するごとに、Ｅｘｐｅｃｔｉｎｇ  ＮＤＩを更新するように構成されている。
【手続補正８】
【補正対象書類名】明細書
【補正対象項目名】０１１６
【補正方法】変更
【補正の内容】
【０１１６】
ステップＳ１００４Ｂにおいて、移動局は、共有物理制御チャネルを介して受信したＮＤＩ（受信したＮＤＩ）が、次に受信を期待しているＮＤＩ（Ｅｘｐｅｃｔｉｎｇ  ＮＤＩ）と一致するか否かについて判定する。すなわち、移動局は、「受信したＮＤＩ」が増加している（更新されている）か否かについて判定する。
【手続補正９】
【補正対象書類名】明細書
【補正対象項目名】０１１７
【補正方法】変更
【補正の内容】
【０１１７】
「受信したＮＤＩ」が「Ｅｘｐｅｃｔｉｎｇ  ＮＤＩ」と等しいと判定された場合、すなわち、「受信したＮＤＩ」が増加している（更新されている）と判定された場合、ステップＳ１００５において、移動局は、共有物理制御チャネルを介して受信したＬ１/Ｌ２制御情報に基づいて、共有物理データチャネルを介して受信したパケットを復号する。
【手続補正１０】
【補正対象書類名】明細書
【補正対象項目名】０１１９
【補正方法】変更
【補正の内容】
【０１１９】
一方、「受信したＮＤＩ」が「Ｅｘｐｅｃｔｉｎｇ  ＮＤＩ」と異なると判定された場合、すなわち、「受信したＮＤＩ」が増加していない（更新されていない）と判定された場合、ステップＳ１００７において、共有物理制御チャネルを介して受信した「ＲＳＮ」が「初送」を示すか否かについて、すなわち、「ＲＳＮ」が「０」であるか否かについて判定される。
【手続補正１１】
【補正対象書類名】明細書
【補正対象項目名】０１２３
【補正方法】変更
【補正の内容】
【０１２３】
ステップＳ１０１３において、移動局は、共有物理制御チャネルを介して受信したＮＤＩ（受信したＮＤＩ）が、次に受信を期待しているＮＤＩ（Ｅｘｐｅｃｔｉｎｇ  ＮＤＩ）と一致するか否かについて判定する。すなわち、移動局は、「受信したＮＤＩ」が増加していない（更新されていない）か否かについて判定する。
【手続補正１２】
【補正対象書類名】明細書
【補正対象項目名】０１２４
【補正方法】変更
【補正の内容】
【０１２４】
「受信したＮＤＩ」が「Ｅｘｐｅｃｔｉｎｇ  ＮＤＩ」と等しいと判定された場合、すなわち、「受信したＮＤＩ」が増加していない（更新されていない）と判定された場合、本動作は、ステップＳ１０１４に進み、「受信したＮＤＩ」が「Ｅｘｐｅｃｔｉｎｇ  ＮＤＩ」と異なると判定された場合、すなわち、「受信したＮＤＩ」が増加している（更新されている）と判定された場合、本動作は、ステップＳ１０１９に進む。
【手続補正１３】
【補正対象書類名】図面
【補正対象項目名】図１０
【補正方法】変更
【補正の内容】
【図１０】
2008096878.tif 000017
【国際調査報告】
2008096878.tif 000018
2008096878.tif 000019
2008096878.tif 000020
2008096878.tif 000021